(57)【要約】【課題】低コストで外観デザイン的にも優れた操作表示パネルを有するドラム式洗濯機を提供すること。【解決手段】前面に衣類出し入れ用の蓋体１０を有する前部枠体５と、本体１および前部枠体５の上方に配した天板１８と、前部枠体５と天板１８との間に配置された操作表示パネル１６とを有し、操作表示パネル１６は透明樹脂部１９で構成し、その表面をインサート成形されたフィルム２０で覆われ、操作表示パネル１６の上壁２３は、本体内方に向かう屈曲部２４を有し、天板１８が、屈曲部２４の上方よりフィルム２０端部を覆ったことにより、フィルム２０の端の波打ちを外観部から隠すことができ、ヤゲン加工などを必要とせずに単純なフィルムの曲げ加工だけで低コストで外観デザイン的に優れたドラム式洗濯機を提供できる。【選択図】図２
2011024746.tif 000002
【特許請求の範囲】
【請求項１】
本体の前面を形成すると共に衣類出し入れ用の蓋体を有する前部枠体と、前記本体および前部枠体の上方に配した天板と、前記前部枠体と天板との間に配置された操作表示パネルとを有し、前記操作表示パネルは透明樹脂部で構成するとともにその表面をインサート成形されたフィルムで覆い、前記操作表示パネルの上壁は本体内方に向かう屈曲部を有するとともに、前記屈曲部まで達したフィルム端部を前記天板が上方より覆う構成としたドラム式洗濯機。
【請求項２】
天板の前部に段部を有し、屈曲部は、前記段部に対向した位置に凸部を設けた請求項１記載のドラム式洗濯機。
【請求項３】
天板の前部裏面には前記天板が上方に変形したときに係合する第１の係止部と、屈曲部には前記天板が後方にずれたときに係合する第２の係止部とを前記天板の左右方向に交互に複数個設けた請求項１または２に記載のドラム式洗濯機。
【発明の詳細な説明】
【技術分野】
【０００１】
本発明は、本体前方より蓋体の開閉や運転の操作や視認を行うドラム式洗濯機の操作表示パネル構造に関するものである。
【背景技術】
【０００２】
従来のこの種のドラム式洗濯機は、本体の前面上部に、発光表示部や押圧操作ボタン部を有する操作表示パネルを配置し、使用者の希望の運転コースを選択や、運転の開始操作や、行程の設定状況および進捗の視認などを行うものである（例えば特許文献１参照）。
【０００３】
図７は、特許文献１に記載された従来例のドラム式洗濯機の全体斜視図を示し、図８は、同洗濯機の操作表示パネルの要部断面図およびフィルム上端部断面図を示す。
【０００４】
図７の全体斜視図に示すように、前面をなだらかに上方後退曲面とした本体１の右上部分には各種スイッチ操作部、表示部などを配置した操作表示パネル１２が配置される。
【０００５】
操作表示パネル１２の下縁部１２ａは、本体１の前面に開閉自在に構成した衣類出し入れ用の蓋体１０の周縁に配した化粧部材１１と円弧状に接合し、上縁部１２ｂは本体の天板１４に接するように取り付けられている。
【０００６】
図８（Ａ）の操作表示パネルの要部断面図において、操作表示パネル１２は、透明樹脂材で加工された樹脂成形部材で、その表面にはインサート成形されたフィルム１３で覆われて着色、印刷が施された化粧面を構成する。
【０００７】
さらに、操作表示パネル１２の上縁部１２ｂは、天板１４の高さまで延設して出来るだけ表示部を大きく構成して、微小隙間１５を有しつつ天板１４と接する。
【０００８】
図８（Ｂ）のフィルム上端部断面図に示すとおり、フィルム１３の上部外郭を成す上壁４１は、操作表示パネル１２の上縁部１２ｂの外周を覆うように下方に屈曲した形状の端部４２を形成する。これは、透明部材である操作表示パネル１２の内方が使用者から見えたり、その端部４２が波打ったりすることにより外観デザインが損なわれることを防ぐものである。
【先行技術文献】
【特許文献】
【０００９】
【特許文献１】特開２００５−１４３７９３号公報
【発明の概要】
【発明が解決しようとする課題】
【００１０】
しかしながら、前記従来の構成では、操作表示パネル１２の上壁４１の曲げ加工に加えて端部４２まで巻き込むフィルム１３の曲げ加工を必要とし、このような曲げ加工はヤゲン加工とも言われ、別工程での加工が必要となりコストがかかるという課題があった。
【００１１】
また、操作表示パネル１２の上縁部１２ｂと、本体の天板縁部との接合に反りを生じると、微小隙間１５において端部４２が波打ち状態になり、外観デザインが損なわれる等の課題もあった。
【００１２】
本発明は、前記従来の課題を解決するもので、低コストで外観デザインを損なうことのないドラム式洗濯機の操作表示パネル構造を提供することを目的とする。
【課題を解決するための手段】
【００１３】
前記従来の課題を解決するために、本発明のドラム式洗濯機は、本体の前面を形成すると共に衣類出し入れ用の蓋体を有する前部枠体と、前記本体および前部枠体の上方に配した天板と、前記前部枠体と天板との間に配置された操作表示パネルとを有し、前記操作表示パネルは透明樹脂部材で構成するとともにその表面をインサート成形されたフィルムで覆い、前記操作表示パネルの上壁は本体内方に向かう屈曲部を有するとともに、前記屈曲部まで達したフィルム端部を前記天板が上方より覆ったものである。
【００１４】
これによって、フィルムの端の波打ちを外観部から隠すことができ、ヤゲン加工などを必要とせずに単純なフィルムの曲げ加工だけで低コストで外観デザイン損なうことのない操作表示パネル構造を提供できる。
【発明の効果】
【００１５】
本発明のドラム式洗濯機は、低コストで外観デザインを損なうことのない操作表示パネル構造を提供する事ができる。
【図面の簡単な説明】
【００１６】
【図１】本発明の実施の形態１におけるドラム式洗濯機の全体斜視図
【図２】同ドラム式洗濯機の操作表示パネルの要部断面図
【図３】同ドラム式洗濯機の操作表示パネル上部と天板前部の拡大要部断面図
【図４】同ドラム式洗濯機の天板が上方に変形したときに係合する係止部の要部断面図
【図５】同ドラム式洗濯機の天板が後方にずれたときに係合する係止部の要部断面図
【図６】同ドラム式洗濯機の全体平面図
【図７】従来例のドラム式洗濯機の全体斜視図
【図８】（Ａ）同ドラム式洗濯機の操作表示パネルの要部断面図（Ｂ）同ドラム式洗濯機の操作表示パネルのフィルム上端部断面図
【発明を実施するための形態】
【００１７】
第１の発明は、本体の前面を形成すると共に衣類出し入れ用の蓋体を有する前部枠体と、前記本体および前部枠体の上方に配した天板と、前記前部枠体と天板との間に配置された操作表示パネルとを有し、前記操作表示パネルは透明樹脂部で構成するとともにその表面をインサート成形されたフィルムで覆い、前記操作表示パネルの上壁は本体内方に向かう屈曲部を有するとともに、前記屈曲部まで達したフィルム端部を前記天板が上方より覆うことにより、フィルムの端を外観部から隠すことができ、ヤゲン加工などを必要とせずに単純なフィルムの曲げ加工だけで安価に外観デザイン的に優れたものを提供できる。
【００１８】
第２の発明は、特に第１の発明において、天板の前部に段部を有し、屈曲部は、前記段部に対向した位置に凸部を設けたことにより、天板と操作表示パネルの上壁との隙間が若干広がった場合でも視覚的に内方がさえぎられ、外観デザイン的に優れたものを提供できる。また、隙間からの水分や洗剤などの異物を侵入しにくくし内方の電装部材への悪影響を低下させることができる。
【００１９】
第３の発明は、特に第１または第２の発明において、天板の前部裏面には前記天板が上方に変形したときに係合する第１の係止部と、屈曲部には前記天板が後方にずれたときに係合する第２の係止部とを前記天板の左右方向に交互に複数個設けたことにより、天板前部の上方、後方への動きを規制でき、操作表示パネルと天板の勘合隙間を小さくでき、外観デザイン的に優れたものを提供できる。また、隙間からの水分や洗剤などの異物を侵入しにくくし内方の電装部材への悪影響を低下させることができる。
【００２０】
以下、本発明の実施の形態について、図面を参照しながら説明する。なお、従来例と同じ構成のものは同一符号を付して説明を省略する。また、この実施の形態によって本発明が限定されるものではない。
【００２１】
（実施の形態１）
図１は、本発明の実施の形態１におけるドラム式洗濯機の全体斜視図、図２は、同ドラム式洗濯機の操作表示パネルの要部断面図、図３は、同ドラム式洗濯機の操作表示パネルのフィルム端部の拡大要部断面図である。
【００２２】
図１において、本体１の前方の衣類出し入れ用の蓋体１０を開閉自在に軸支し、前面をなだらかに上方後退曲面とした前部枠体５の上部と、本体１の上面に配置した天板１８との間には操作表示パネル１６が配置され、その横には洗剤投入ケース１７が前方に引き出し自在に配置されている。
【００２３】
使用者は、運転に先立ち洗剤を洗剤投入ケース１７に入れ、必要に応じて操作表示部１６を操作することにより、希望する運転内容を設定し、運転スタート、一時停止等の操作を行い、運転の進行状態を認識することができる。
【００２４】
図２の要部断面図において、操作表示パネル１６は、前部枠体５の上方と天板１８との間に配置され、透明樹脂部１９の表面がインサート成形されたフィルム２０で覆われて、着色、印刷が施された化粧面を成す。なお、フィルム２０は、ポリエチレンテレフタレート（通称ＰＥＴ）等の高分子フィルム材などで構成される。
【００２５】
操作表示パネル１６の内方には発光表示部２１や押圧操作ボタン部２２を配置し、使用者は、発光表示部２１によって操作表示パネル１６の表面に表示されるメニューを見ながら、押圧操作ボタン部２２を押圧して希望する運転コースを選んで洗濯、すすぎ、脱水などの行程をスタートさせる。
【００２６】
図３の操作表示パネル上部と天板前部の拡大要部断面図において、天板１８に近接する操作表示パネル１６の上壁２３は、天板１８および前部枠体５と共に外郭とを構成するとともに、本体内方である天板１８内方に向かう屈曲部２４を有し、天板１８の端部３９が前記屈曲部２４を覆っている。
【００２７】
また、フィルム２０は、屈曲部２４の一部まで覆うようにフィルム端部２５が延設されており、かつフィルム２０のフィルム端部２５は天板１８の端部３９で上方より覆われ外観からは視認しにくくなっている。
【００２８】
また、フィルム２０は、インサート成形される前にプレス金型で曲げ加工をされる為、フィルム端部２５は、必ずしも直線形状に仕上がるとは限らず若干の波打ちが発生するが、上述のように天板１８の端部３９で覆われているので、波打ちなどの不体裁な形状は外観として見えない位置にあるためデザイン性を損なうことは無い。
【００２９】
図３に示したような構成をとることにより、操作表示パネル１６の角度を立てても、つまり表面の法線と水平線との角度θを小さくしても、フィルム２０の端部２５はヤゲン加工を必要としない単純な断面Ｌ字状の曲げ加工で構成され、フィルムの端部２５を外観として見えない位置に配設できる。即ち本体内部構造のスペースや、天板１８の面積を充分確保でき、車椅子など目線の低い使用者でも操作表示部の視認性を損なうことなく、低コストで外観デザイン的に優れたものを提供できる。
【００３０】
また、図２、図３において示すとおり、天板１８の前部には、操作表示パネル１６の上壁２３に近接して段部３４を設けて本体１の上方や前方からの力に耐えうる補強形状とし、かつ操作表示パネル１６の屈曲部２４の上面には段部３４と対向する位置に肉厚となるよう凸部３５を一体に設ける。
【００３１】
天板１８は、段部３４を設けることで、前部の強度が向上し、成形時のソリも少なく抑えることができるので、天板１８の上方への浮きを抑えられて隙間３６を小さくでき、外観デザイン的に優れたものを提供できる。
【００３２】
さらに、操作表示パネル１６の屈曲部２４には、段部３４に近接した位置に肉厚の凸部３５を形成しているので、隙間３６の奥を覗くように見た時この凸部３５で目線が遮られる為、もし天板１８が成形時のソリなどで上方に浮いて隙間３６が広がって場合でも、視覚的に目立ち難く、外観的な見栄えよくすることができるとともに、隙間３６からの本体１の内部への異物等の侵入を防ぐことができる。
【００３３】
図４は、本発明の実施の形態１におけるドラム式洗濯機の天板が上方に変形したときに係合する係止部の要部断面図であり、図５は、同ドラム式洗濯機の天板が後方にずれたときに係合する係止部の要部斜視図であり、図６は、同ドラム式洗濯機の全体平面図である。
【００３４】
図４に従って、天板１８の前部が上方に変形するのを防止する構成を説明する。
【００３５】
薄板樹脂成型部材等で構成される天板１８は、残留成型歪、製品組み立て後に受ける応力等で変形したり、組み立て時のばらつきにより隙間３６が大きくならないように、天板１８と操作表示パネル１６の上壁２３の屈曲部２４とを強制的に係止するものである。
【００３６】
即ち、天板１８の前部の裏面、及び操作表示パネル１６の上壁２３の屈曲部２４には、天板１８の前部が上方に変形し始めたときに、操作表示パネル１６の上壁２３の屈曲部２４の端部４４に当接する第１の係止部３７を設け、天板１８の上方への変形を防止するものである。
【００３７】
天板１８の前部が、成形時のソリなどで上方にはねあがっていたとしても、本体１に操作表示パネル１６と共に組めば、第１の係止部３７が屈曲部端部４４に当接して動きを規制することができ、天板１８が上方に変形することによる隙間３６の広がりを防止する。
【００３８】
なお、第１の係止部３７と屈曲部端部４４は、天板１８が上方に変形することによる隙間３６の広がりを防止できる範囲であれば、当接していても図４のように少し離間していてもよい。
【００３９】
また、使用者が天板１８にこぼした水や汚れなど異物が隙間３６から本体１の内部に浸入すると、本体や操作表示パネル等の電装部品の故障の原因になる恐れがあるが、隙間３６が大きくなることを抑止しているので、本体１内部へ異物が侵入することも防止できる。
【００４０】
ただし、この第１の係止部３７は、天板１８が本体１（もしくは操作表示パネル１６）の後方にずれて組み立てられると、屈曲部端部４４に当接しなくなるので上方に変形するのを防止する規制力が無くなってしまう。
【００４１】
そこで、図５に示すように天板１８に第２の係止部３８を設け、操作表示パネル１６の上壁２３の屈曲部２４の端に一体形成した屈曲部係止片４３に係止することで天板１８の後方（図５における右方）へのずれを規制し、図４で説明した第１の係止部３７の規制力も確保し天板１８の上方への変形を抑止する。
【００４２】
第１の係止部３７と屈曲部端部４４、及び第２の係止部３８と屈曲部係止片４３を、図６の平面図に示すように天板１８の左右方向に交互に複数個設けるように配置すれば、隙間３６の広がり防止を天板１８の左右方向で均等に行うことができ、組立ばらつきや部材のばらつきの影響を受けずに構成することができる。
【００４３】
以上のように、本実施の形態によれば、操作表示パネル１６の上壁２３に本体内方に向かう屈曲部２４を形成して、天板１８で屈曲部２４を覆うことにより、フィルム２０の端部を外観上隠すことができ、ヤゲン加工などを必要とせずに単純なフィルムの曲げ加工だけで低コストかつ外観デザイン的に優れたものを提供できる。
【００４４】
また、天板１８の前部には段部３４を設けて、前部の強度を向上させ、成形時のソリなどを少なくし、操作表示パネルと天板の勘合隙間を小さくするとともに、操作表示パネル１６の屈曲部２４上面には肉厚となるように凸部３５を有することにより、隙間３６が若干広がった場合でも視覚的に内方がさえぎられデザイン性を損ねることがない。
【００４５】
また、天板１８の前部の裏面と、前記操作表示パネル１６の上壁２３の屈曲部２４には、前記天板の前部が上方に変形したときに係合する第１の係止部３７と、前記天板１８の前部が後方に変形したときに係合する第２の係止部３８とを天板１８の左右方向に交互に複数個設けたことにより、天板１８前部の上方、後方への動きを規制でき、操作表示パネルと天板の隙間が広がることを抑止し、外観デザイン的に優れたものを提供できる。
【産業上の利用可能性】
【００４６】
以上のように、本発明にかかるドラム式洗濯機は、低コストで外観デザインを損なうことのない操作表示パネル構造を提供する事ができるので、洗濯機だけでなく乾燥機等の用途にも応用できる。
【符号の説明】
【００４７】
１    本体
５    前部枠体
１０  蓋体
１６  操作表示パネル
１８  天板
１９  透明樹脂部
２０  フィルム
２３  上壁
２４  屈曲部
２５  フィルム端部
３４  段部
３５  凸部
３６  隙間
３７  第１の係止部
３８  第２の係止部
【図１】
2011024746.tif 000003
【図２】
2011024746.tif 000004
【図３】
2011024746.tif 000005
【図４】
2011024746.tif 000006
【図５】
2011024746.tif 000007
【図６】
2011024746.tif 000008
【図７】
2011024746.tif 000009
【図８】
2011024746.tif 000010